(57)【要約】【課題】ウィルスを不活化させることができ、そのための薬剤が安定した状態で必要時まで維持でき、かつ汚物をゲル化して処理し易くした非常時用汚物収容処理具の提供。【解決手段】折り畳み可能な不透水性フィルム材をもって形成された汚物収容処理袋１と、汚物処理材パック２とを同一の包装袋３内に収容し、汚物処理材パック２には、不透気不透湿性のフィルム状材料によって形成された密封包装袋内に紛状又は粒状の高吸水性樹脂材と粉状又は粒状の多孔性吸着剤と水に反応して二酸化塩素を発生する二酸化塩素発生剤とを混合した汚物処理材を収容して密封する。【選択図】図１
2015167681.tif 000002
【特許請求の範囲】
【請求項１】
折り畳み可能な不透水性フィルム材をもって形成された汚物収容処理袋と、汚物処理材パックとを同一の包装袋内に収容し、
前記汚物処理材パックには、不透気不透湿性のフィルム状材料によって形成された密封包装袋内に紛状又は粒状の高吸水性樹脂材と水に反応して二酸化塩素を発生する二酸化塩素発生剤とを混合した汚物処理材を収容して密封包装されていることを特徴とする非常時用汚物収容処理具。
【請求項２】
前記二酸化塩素発生剤は、亜塩素酸ナトリウムとジクロロイソシアヌル酸ナトリウムの混合物である請求項１に記載の非常時用汚物収容処理具。
【請求項３】
前記密封包装袋を構成する不透気不透湿性のフィルム状材料は、合成樹脂フィルムにアルミニウムを蒸着したフィルムである請求項２に記載の非常時用汚物収容処理具。
【請求項４】
前記汚物収容処理袋は、筒状に広げることができる筒状胴部を有し、
該筒状胴部は、二重配置の前後面部フィルムをその側縁部間を所定幅だけシールすることによって形成した側縁リブ部を一体化に有し、
該汚物収容処理袋内には前記前後面部フィルム間に挟まれ、底面にマチが形成されるように折り畳まれた底面部フィルムを有し、該底面部フィルムと前記前後面部フィルムの下縁部とを所定幅だけシールすることによって形成された底縁リブ部が形成され、
前記筒状胴部の上端に、汚物収容時に開口部を所定形状に維持させるための開口部形成材を一体に備え、
前記筒状胴部の開口部内に該開口部を開閉自在な気液密性ファスナーを備え、
前記筒状胴部内に流動性のある汚物が収容されることによって底面部フィルムのマチ部分及び筒状胴部内が広がり、前記側縁部シール部及び底縁リブ部の強度によって自立するようになっている請求項1〜３の何れかに記載の非常時用汚物収容処理具。
【請求項５】
前記汚物収容処理袋は、柔軟性のある合成樹脂フィルムによって形成され、洋式便器の便器本体開口部内より挿入されてその内部に広げられる袋本体部と、
該袋本体部の開口部側を延長した配置一体に形成され、前記袋本体部を洋式便器内に挿入して広げた状態で該洋式便器の便器本体の開口縁部外側に折り返し可能な便器開口縁覆い部と、
前記袋本体部の開口部に一体化され、前記洋式便器の便座取付部に巻き付け可能で、かつ用便後の前記汚物収容袋の開口部外周を巻き締め可能な紐材とを備えている請求項1〜３の何れかに記載の非常時用汚物収容処理具。
【発明の詳細な説明】
【技術分野】
【０００１】
本発明は、例えば自動車内や非常袋に常備し、緊急時や災害時に大小便や嘔吐物を収容して処理する非常時用汚物収容処理具に関する。
【背景技術】
【０００２】
従来、自動車による長距離ドライブにおいて、緊急時に車内での排便に使用する携帯トイレや、震災等の災害によって上下水道が機能停止し、常設のトイレが使用不能となった異常事態時に備えて常備する非常時用トイレが提案されている。
【０００３】
この種の従来の非常時用トイレは、汚物を収容する袋と、収容した汚物を吸水材によってゲル化させ、一時的保管を容易にしたものが一般的であり、排泄時における袋内への落下を容易にしたものや、袋内に収容した汚物が流れ出難くなるように工夫したものがある（例えば特許文献１，２）。
【先行技術文献】
【特許文献】
【０００４】
【特許文献１】特開２００３−２６５３５６号公報
【特許文献２】実用新案登録第３１７４３８３号公報
【発明の概要】
【発明が解決しようとする課題】
【０００５】
しかしながら、上述の如き従来の非常時用トイレでは、収容した汚物の漏出や、一時保管に便利なように、逆流防止や汚物を高吸水性樹脂粉によってゲル化するようにしているが、一般に、大便中には多種類の細菌やウィルスが存在しており、特にノロウィルスにおいては、空気感染するものであるため、大便や嘔吐物を単に袋内に収容し、脱水するのみでは、ウィルス感染を防止できない。
【０００６】
また、便や嘔吐物は、強い臭気を発する場合が多く、臭気もれ対策も万全ではなかった。
【０００７】
本発明はこのような従来の状況に鑑み、ウィルスを不活化させることができ、そのための薬剤が安定した状態で必要時まで維持でき、かつ汚物をゲル化して処理し易くした非常時用汚物収容処理具の提供を目的としてなされたものである。
【課題を解決するための手段】
【０００８】
上述の如き従来の問題を解決するための請求項1に記載の発明の特徴は、折り畳み可能な不透水性フィルム材をもって形成された汚物収容処理袋と、汚物処理材パックとを同一の包装袋内に収容し、前記汚物処理材パックには、不透気不透湿性のフィルム状材料によって形成された密封包装袋内に紛状又は粒状の高吸水性樹脂材と水に反応して二酸化塩素を発生する二酸化塩素発生剤とを混合した汚物処理材を収容して密封包装されていることにある。
【０００９】
請求項２に記載の発明の特徴は、請求項１の構成に加え、前記二酸化塩素発生剤は、亜塩素酸ナトリウムとジクロロイソシアヌル酸ナトリウムの混合物であることにある。
【００１０】
請求項３に記載の発明の特徴は、請求項２の構成に加え、前記密封包装袋を構成する不透気不透湿性のフィルム状材料は、合成樹脂フィルムにアルミニウムを蒸着したフィルムであることにある。
【００１１】
請求項４に記載の発明の特徴は、請求項１〜３の何れか１の構成に加え、前記汚物収容処理袋は、筒状に広げることができる筒状胴部を有し、該筒状胴部は、二重配置の前後面部フィルムをその側縁部間を所定幅だけシールすることによって形成した側縁リブ部を一体化に有し、前記筒状胴部の下端には前記前後面部フィルム間に挟まれ、底面にマチが形成されるように折り畳まれた底面部フィルムを有し、該底面部フィルムと前記前後面部フィルムの下縁部とを所定幅だけシールすることによって形成された底縁リブ部が形成され、前記筒状胴部の上端に、汚物収容時に開口部を所定形状に維持させるための開口部形成材を一体に備え、前記筒状胴部の開口部内に該開口部を開閉自在な気液密性ファスナーを備え、前記筒状胴部内に流動性のある汚物が収容されることによって底面部フィルムのマチ部分及び筒状胴部内が広がり、前記側縁部シール部及び底縁リブ部の強度によって自立するようになっていることにある。
【００１２】
請求項５に記載の発明の特徴は、請求項１〜３の何れか１の構成に加え、前記汚物収容処理袋は、柔軟性のある合成樹脂フィルムによって形成され、洋式便器の便器本体開口部内より挿入されてその内部に広げられる袋本体部と、該袋本体部の開口部側を延長した配置一体に形成され、前記袋本体部を洋式便器内に挿入して広げた状態で該洋式便器の便器本体の開口縁部外側に折り返し可能な便器開口縁覆い部と、前記袋本体部の開口部に一体化され、前記洋式便器の便座取付部に巻き付け可能で、かつ用便後の前記汚物収容袋の開口部外周を巻き締め可能な紐材とを備えていることにある。
【発明の効果】
【００１３】
本発明に係る非常時用汚物収容処理具は、請求項1に記載のように、折り畳み可能な不透水性フィルム材をもって形成された汚物収容処理袋と、汚物処理材パックとを同一の包装袋内に収容し、前記汚物処理材パックには、不透気不透湿性のフィルム状材料によって形成された密封包装袋内に紛状又は粒状の高吸水性樹脂材と水に反応して二酸化塩素を発生する二酸化塩素発生剤とを混合した汚物処理材を収容して密封包装されているため、災害時やその他の非常の際に、汚物処理材パックを開いて内容物を汚物収容処理袋内に投入した状態で、該袋内に排便や嘔吐物を投入することにより、その汚物に含まれているウィルス類を不活化させ、空気感染の発生を防止できる。
【００１４】
本発明は、請求項２に記載のように、前記二酸化塩素発生剤は、亜塩素酸ナトリウムとジクロロイソシアヌル酸ナトリウムの混合物を使用していることにより、二酸化塩素を、使用時に容易かつ確実に発生させることができる。
【００１５】
本発明は、請求項３に記載のように前記密封包装袋を構成する不透気不透湿性のフィルム状材料は、合成樹脂フィルムにアルミニウムを蒸着したフィルムであることにより、亜塩素酸ナトリウムとジクロロイソシアヌル酸ナトリウムの混合物を使用した二酸化塩素発生剤の安定な状態を長期間に亘って維持させる、即ち長期保存することができる。
【００１６】
本発明は、請求項４に記載のように、前記汚物収容処理袋は、筒状に広げることができる筒状胴部を有し、該筒状胴部は、二重配置の前後面部フィルムをその側縁部間を所定幅だけシールすることによって形成した側縁リブ部を一体化に有し、前記筒状胴部の下端には前記前後面部フィルム間に挟まれ、底面にマチが形成されるように折り畳まれた底面部フィルムを有し、該底面部フィルムと前記前後面部フィルムの下縁部とを所定幅だけシールすることによって形成された底縁リブ部が形成され、前記筒状胴部の上端に、汚物収容時に開口部を所定形状に維持させるための開口部形成材を一体に備え、前記筒状胴部の開口部内に該開口部を開閉自在な気液密性ファスナーを備え、前記筒状胴部内に流動性のある汚物が収容されることによって底面部フィルムのマチ部分及び筒状胴部内が広がり、前記側縁部シール部及び底縁リブ部の強度によって自立するようになっていることにより、用便や嘔吐物の投入に使用した直後の汚物収容処理袋を、そのファスナーを閉じる作業の前に、床上などに自立させて置くことができ、衣服の整え等の身繕いをした後に、ファスナーによる密閉作業ができる。
【００１７】
本発明は、請求項５に記載のように、前記汚物収容処理袋は、柔軟性のある合成樹脂フィルムによって形成され、洋式便器の便器本体開口部内より挿入されてその内部に広げられる袋本体部と、該袋本体部の開口部側を延長した配置一体に形成され、前記袋本体部を洋式便器内に挿入して広げた状態で該洋式便器の便器本体の開口縁部外側に折り返し可能な便器開口縁覆い部と、前記袋本体部の開口部に一体化され、前記洋式便器の便座取付部に巻き付け可能で、かつ用便後の前記汚物収容袋の開口部外周を巻き締め可能な紐材とを備えていることにより、断水時の洋式便器に対する装着が容易であるとともに、安定した装着が可能であり、用便後の処理も、汚物を漏らすことなく簡便に行うことができる。
【図面の簡単な説明】
【００１８】
【図１】本発明の全体の概略構成を示す説明図である。
【図２】本発明における汚物処理材パックの一例を示す断面図である。
【図３】本発明における汚物収容処理袋の一例を示す正面図である。
【図４】同縦断面図である。
【図５】同ファスナー部分を示す拡大断面図である。
【図６】同汚物収容処理袋の拡開状態を示す斜視図である。
【図７】本発明における汚物収容処理袋の他の例を示す斜視図である。
【図８】同汚物収容処理袋の洋式便器に対する装着状態を示す断面図である。
【図９】同汚物収容処理袋の使用後の開口部を閉じた状態の側面図である。
【発明を実施するための形態】
【００１９】
次に、本発明に係る非常時用汚物収容処理具の実施の形態を図に示した実施例に基づいて説明する。
【００２０】
この非常時用汚物収容処理具は、折り畳み可能な不透水性フィルム材をもって形成された汚物収容処理袋１と、汚物処理材パック２とを同一の包装袋３内に収容して構成されている。この他包装袋３内には、使用後用の汚物収容処理袋１や拭き取りに使用した紙類等の汚染物を収容する汚染物収容袋５が収容されている。この他、包装袋３内には樹脂フィルム製の使い捨て手袋を収容しておいてもよい。
【００２１】
汚物収容処理袋１及び汚染物収容袋５は、図には示してないが、包装袋３内に収納できる大きさに折りたたんだ状態で収容する。
【００２２】
前記汚物処理材パック２は、不透気不透湿性のフィルム状材料６によって形成された密封包装袋内に、紛状又は粒状の高吸水性樹脂材、粉状又は粒状の多孔性吸着剤、及び水に反応して二酸化塩素を発生する二酸化塩素発生剤を混合した汚物処理剤９収容して密封されている。尚、本発明において多孔性吸着剤は必ずしも必要ではない。
【００２３】
二酸化塩素発生剤には、亜塩素酸ナトリウムとジクロロイソシアヌル酸ナトリウムの混合物を使用する。二酸化塩素発生剤は、水と反応することで二酸化塩素を発生させるが、空気中の水分によっても反応する。この例では、調湿性を有するゼオライトに担持されたものを不透気・不透湿性の密封包装袋６に入れることによって、空気中の水分が遮断され、二酸化塩素発生剤が安定した状態で維持させている。
【００２４】
密封包装袋を形成している不透気不透湿性のフィルム状材料６は、図２には示すように、合成樹脂フィルム７にアルミニウム層８を蒸着により積層させたフィルムが使用されており、上記フィルム状材料を合成樹脂フィルムを内側にして重ね合せ、周縁部を溶着させることによって密封包装袋６を形成している。
【００２５】
汚物収容処理袋１は、筒状に広がる筒状胴部１１を有している。この筒状胴部１１は、図３、図４に示すように二重配置の前後面部フィルム１２，１３をその側縁部間を所定幅だけシールした側縁リブ部１４，１４によって一体化させて筒状に形成している。
【００２６】
汚物収容処理袋１の底部は、筒状胴部１１の下端を閉鎖する底面部フィルム１５によって構成されている。底面部フィルム１５は、逆Ｖ型に折りたたんだ状態で筒状胴部の前後面部フィルム１２，１３間に挟み込み、折り線の長さ方向の両端を前記側縁リブ１４，１４内に入れて溶着するとともに、逆Ｖ型の両端縁部を筒状胴部１１の前後面フィルム１２，１３の下縁部とともに所定幅だけシールし、汚物収容処理袋１の底部にマチ１６が形成されるように折り畳まれた状態となっている。
【００２７】
筒状胴部１１の下端縁には、底面部フィルム１５と筒状胴部１１の前後面フィルム１２，１３とをシールすることにより週方向に連続した状態に形成された底縁リブ部１７を備えている。
【００２８】
尚、この例では、前面部フィルム１２，底面部フィルム１５、後面部フィルム１３を連続した1枚のフィルム材をもって構成させ、これをマチ１６が形成されるように底面部フィルムを折りたたんで全後面部フィルム２３，１３間に挟み込ませ、この状態で加熱溶着によってシールすることにより前述した各両側縁リブ１４，１４及び底縁リブ１７を形成することにより袋状に形成している。
【００２９】
前後面フィルム１２，１３及び底面部フィルム１５を構成する合成樹脂フィルム材料としては、例として次の積層フィルムが使用できる。
ＯＮ１５／ＤＬ／ＣＰＰ２０／ＤＬ／ＰＥＦ１３０
ＰＥＴ１２／ＤＬ／ＯＮ１５／ＤＬ／ＰＥＦ８０
ＯＮ１５／ＤＬ／ＰＥＦ１３０
ＶＭＯＮ１５／ＤＬ／ＰＥＦ１３０
ＯＮ１５／ＤＬ／ＰＶＡ１２／ＤＬ／ＰＥＦ１２０２）
【００３０】
ここで、各数字はフィルム厚（μｍ）を表し、アルファベツト文字は次の素材を意味している。
ＯＮ ：延伸ナイロン
ＰＥＦ ：ポリエチレンフィルム
ＯＰＰ ：延伸ポリプロピレン
ＰＥＴ ：ポリエチレンテレフタレート
ＬＬＤＰＥＦ ：直鎖状低密度ポリエチレンフィルム
ＤＬ ：ドライラミネート接着剤層
ＶＭ ：アルミナあるいはシリカ蒸着
【００３１】
筒状胴部１１の開口部内には、該開口部を開閉自在な気液密性ファスナー２０が一体に備えられている。この気液密性ファスナー２０としては、図５に示すように二重に配置した２枚の基板部２１，２２の対向面の一方に２条の突起２３，２３により、その間が蟻溝状に奥側が広がった凹溝２４が形成され、他方面に前記凹溝内２４に押し込まれる先端部膨らんだ断面形状の突条２５を一体に有し、凹溝内２４に突状２５を押し込んで嵌め合せることによって気液密状に閉鎖することができるレールファスナーが使用されている。
【００３２】
筒状胴部１１の開口縁部上端には、汚物収容処理袋１の使用時に開口部を所定形状に維持させるための開口部形成材３０が一体に備えられている。この開口部形成材３０は、一例として発泡合成樹脂板が使用され、これを２つ折りにして筒状胴部１１の前記ファスナー２０より外側内に挿入し、開口部の全周に亘って前後フィルム１２，１３に固着している。
【００３３】
この開口部形成材３０は、ファスナー２０を開いた状態で二重に折りたたまれた状態の両端を互いに近付ける側に押すことにより、中央部分が開き所定の開口形状が維持されるようになっている。
【００３４】
このように構成される汚物収容処理袋１は、ファスナー２０を開き、内部に小便や嘔吐物を等の流動性のある収容物を入れると、その重さによって筒状胴部１１が膨らむことにより両側縁リブ部１４，１４が縦向きの補強リブを構成して筒状胴部１１が折れ曲がらない直状態が維持され、同時に底面部フィルム１５のマチ１６が開き、底部周囲の底縁リブ部１７が縦向き状態を維持して広がり、底縁がリング状に広がった形状に維持され、自立可能な状態となる。
【００３５】
この非常時用汚物収容処理具の使用に際しては、包装袋３内から収容物を取り出し、汚物収容処理袋１の開口形成材３０を開きく。
【００３６】
この状態で、開口部形成材３０を使用者に合わせて適宜の形状に広げ、その開口部より、小便或は嘔吐吐物等の汚物を落とし込んだ後、汚物処理材パック２の内容物である高吸水性樹脂材と二酸化塩素発生剤を汚物の上に散布するように投入する。
この時、前述したように汚物収容処理袋１は、落とし込まれた汚物により底部が膨らみ自立可能な状態となり、床に仮置きした状態で衣服の整え等の身繕い作業ができる。
【００３７】
汚物収容処理袋１内の汚物は、これに含まれている水分が高吸水性樹脂材に吸収されるとともに、汚物の水成分が亜塩素酸ナトリウムとジクロロイソシアヌル酸ナトリウムの混合物に反応して二酸化塩素を発生し、これによってウィルス類を不活性化させる。更に、臭気成分は二酸化塩素による酸化分解によって拡散が防止される。
【００３８】
このようにして汚物が処理されて収容された汚物収容処理袋１を、使用した使い捨て手袋やその他の汚染物と共に汚染物収容袋５に入れて、廃棄又は廃棄のために保管する。
【００３９】
上記実施例における汚物収容処理袋は、手持ちの状態で小便や嘔吐物を入れる形式のものであるが、この他、断水時の様式便器内に広げた状態で装着する形式のものであってもよい。以下にその実施例について説明する。
【００４０】
この例の汚物収容処理袋４０は、図７〜図９に示すように合成樹脂製のフィルムをもって形成された袋状の袋本体部４１と、その開口部を延長させた形状の便器開口縁覆い部４２とが一体に形成されている。
【００４１】
袋本体部４１には、その開口部位置に紐材４３が一体に備えられている。この紐材４３は、袋本体部４１と同じ合成樹脂フィルムを帯状に切断することによって形成されており、その端部を袋本体部４１の開口部内に溶着することによって取り付けられている。
【００４２】
尚、袋本体部４１と便器開口縁覆い部４２は、図７に示すように筒状に成形した基材フィルム４５を所定の長さに切断し、その一端側をシールして袋本体部４１の底部を形成し、他端側を切り離したままの状態とし、その端部より便器開口縁覆い部４２の長さ分だけ袋本体部４１側に切り込み４６を入れることにより、形成されており、切り込み４６の袋本体部４１側に紐材４３の先端を挿入し、袋本体４３の両面より溶着部４７を形成することによって一端が袋本体部４１の開口部内に一体化されている。
【００４３】
この汚物収容処理袋４０の使用に際しては、図８に示すように、洋式便器５０の便座５１を持ち上げた状態で袋本体部４１を洋式便器５０内に挿入し、便器開口縁覆い部４２を、便座取付部５２を除く便器開口縁部５３の上より外側に掛け回して折り返し、便器開口縁部５２を覆う。
【００４４】
この状態で紐材４３を便座取付部５２に巻きつけて仮固定するとともに、便座５１を便器開口縁部５２上に倒すことにより、便座の便器当り部５４と便器開口縁部５２との間に便器開口縁覆い部４２を挟み込まれ、洋式便器５０に対する汚物収容処理袋４０の装着を完了する。
【００４５】
この状態で、通常時と同様に用便することにより、汚物を汚物収容処理袋４０の袋本体部４１内に落下させ、しかる後、汚物処理材パック２の内容物である高吸水性樹脂材と二酸化塩素発生剤を袋本体部４１内の汚物の上に散布するように投入する。これによって汚物に含まれている水分が高吸水性樹脂材に吸収されるとともに、汚物の水成分が亜塩素酸ナトリウムとジクロロイソシアヌル酸ナトリウムの混合物に反応して二酸化塩素が発生し、これによってウィルス類を不活性化させる。更に、臭気成分は二酸化塩素による酸化分解によって拡散が防止される。
【００４６】
用便後においては図９に示すように、紐材４３を便座取付部５２から外し、便器開口縁覆い部４２を上側に伸ばし、袋本体部４１の開口部より下側に紐材４３を巻きつけて袋本体部４１の開口部を閉じる。次いで前述の実施例と同様に、汚物が処理されて収容された汚物収容処理袋１を、使用した使い捨て手袋その他の汚染物と共に汚染物収容袋４０に入れて、廃棄又は廃棄のために保管する。
【符号の説明】
【００４７】
１  汚物収容処理袋
２  汚物処理材パック
３  包装袋
５  汚染物収容袋
６  フィルム状材両
７  合成樹脂フィルム
８  アルミニウム層
９  汚物処理材
１１  筒状胴部
１２  前面部フィルム
１３  後面部フィルム
１４  側縁リブ部
１５  底面部フィルム
１６  マチ
１７  底縁リブ部
２０  気液密性ファスナー
２１，２２  基板部
２３  突起
２４  凹溝
２５  突条
３０  開口部形成材
４０  汚物収容処理袋
４１  袋本体部
４２  便器開口縁覆い部
４３  紐材
４５  基材フィルム
４６  切り込み
４７  溶着部
５０  洋式便器
５１  便座
５２  便座取付部
５３  便器開口縁部
５４  便器当り部
【図１】
2015167681.tif 000003
【図２】
2015167681.tif 000004
【図３】
2015167681.tif 000005
【図４】
2015167681.tif 000006
【図５】
2015167681.tif 000007
【図６】
2015167681.tif 000008
【図７】
2015167681.tif 000009
【図８】
2015167681.tif 000010
【図９】
2015167681.tif 000011